(57)【要約】【課題】生物膜などを効果的に除去できるように水循環路を洗浄でき、人体に悪影響を及ぼすおそれも少ない水循環路洗浄方法を提供する。【解決手段】水槽１と濾過装置２とに亘る水循環路６を、その水循環路を循環する循環水３に殺菌剤を添加して洗浄する水循環路洗浄方法であって、殺菌剤として、次亜塩素酸塩又は塩素化イソシアヌル酸のいずれか一種と、変性亜塩素酸塩とを添加する。【選択図】        図１
2004330163.tif 000002
【特許請求の範囲】
【請求項１】
水槽と濾過装置とに亘る水循環路を、その水循環路を循環する循環水に殺菌剤を添加して洗浄する水循環路洗浄方法であって、
前記殺菌剤として、次亜塩素酸塩又は塩素化イソシアヌル酸のいずれか一種と、変性亜塩素酸塩とを添加する水循環路洗浄方法。
【請求項２】
前記変性亜塩素酸塩がテトラクロロデカオキサイドである請求項１記載の水循環路洗浄方法。
【発明の詳細な説明】
【０００１】
【発明の属する技術分野】
本発明は、水槽と濾過装置とに亘る水循環路を、その水循環路を循環する循環水に殺菌剤を添加して洗浄する水循環路洗浄方法に関する。
【０００２】
【従来の技術】
浴槽やプール，人工池などの水槽の水を浄化するために、水槽と濾過装置とに亘る水循環路を設けてある水循環システムでは、病原菌などの微生物の繁殖を抑制するとともに、水循環路を洗浄して、水循環路に形成された生物膜（バイオフィルム）  などを除去するために、循環水に殺菌剤を添加している。
そして、循環水に添加する殺菌剤として例えば過酸化水素を添加する場合は、循環水が泡だって循環ポンプの運転に支障をきたすおそれがあるとともに、劇物である過酸化水素の取り扱いや保管に注意を要する欠点があるので、循環ポンプの運転に支障をきたすおそれが少なく、取り扱いや保管が比較的容易な次亜塩素酸ナトリウムを殺菌剤として添加している（例えば、特許文献１参照）  。
【０００３】
【特許文献１】
特開２００３−３５５８６号公報
【０００４】
【発明が解決しようとする課題】
しかしながら、次亜塩素酸ナトリウムは、処理水のｐＨ値の上昇に伴って殺菌効果が急激に低下する特性があるところ、高分子化した生物膜などを効果的に除去できるように水循環路を洗浄するためには、次亜塩素酸ナトリウムを高濃度で添加する必要があるが、水槽と濾過装置とに亘って循環する循環水に添加するために、循環水のｐＨ値が徐々に高くなって、充分な効果が得られなくなるとともに、ｐＨ値の高い循環水が人体に悪影響を及ぼし易い欠点がある
また、次亜塩素酸ナトリウムを殺菌剤として添加した場合は、生物膜などと反応して、結合塩素やトリハロメタンなどの有害物質を生成するおそれがあり、この点でも人体に悪影響を及ぼし易い欠点がある。
本発明は上記実情に鑑みてなされたものであって、生物膜などを効果的に除去できるように水循環路を洗浄でき、人体に悪影響を及ぼすおそれも少ない水循環路洗浄方法を提供することを目的とする。
【０００５】
【課題を解決するための手段】
請求項１記載の発明の特徴構成は、水槽と濾過装置とに亘る水循環路を、その水循環路を循環する循環水に殺菌剤を添加して洗浄する水循環路洗浄方法であって、前記殺菌剤として、次亜塩素酸塩又は塩素化イソシアヌル酸のいずれか一種と、変性亜塩素酸塩とを添加する点にある。
【０００６】
〔作用及び効果〕
殺菌剤として、次亜塩素酸塩又は塩素化イソシアヌル酸のいずれか一種と、変性亜塩素酸塩とを循環水に添加するので、水中での［化１］に示す反応によって、活性酸素の作用で幅広いｐＨ値範囲で強い殺菌力（塩素の殺菌効果の約２．６倍）  と酸化力（塩素の酸化力の約１０倍）  を発揮し、しかも、結合塩素やトリハロメタンなどの有害物質を生成するおそれが少ない二酸化塩素（ＣｌＯ２）が循環水中に生成され、この二酸化塩素の殺菌力と酸化力で生物膜などを除去できるように水循環路を洗浄できる。
【化１】
2004330163.tif 000003
従って、従来に比べて少ない殺菌剤を循環水に添加して、循環水のｐＨ値の上昇を抑制しながら、有害物質を生成するおそれが少ない二酸化塩素で、生物膜などを効果的に除去できるように水循環路を洗浄でき、人体に悪影響を及ぼすおそれも少ない。
【０００７】
請求項２記載の発明の特徴構成は、前記変性亜塩素酸塩がテトラクロロデカオキサイドである点にある。
【０００８】
〔作用及び効果〕
変性亜塩素酸塩としてテトラクロロデカオキサイドを添加することにより、水中の一般細菌や大腸菌群，レジオネラ属菌を安定した状態で効果的に除菌できる。
【０００９】
【発明の実施の形態】
以下に本発明の実施の形態を図面に基づいて説明する。
〔第１実施形態〕
図１は、浴槽（水槽の一例）  １と濾過装置２とを、浴槽水３を濾過装置２に流入させる流入配管４と、濾過装置２を通過した浴槽水３を浴槽１に戻す戻し配管５とで接続して、水循環路６を設けてある浴槽水循環設備を示す。
【００１０】
そして、流入配管４に循環ポンプ７と、本発明による水循環路洗浄方法に使用する殺菌剤添加装置８とを設け、循環ポンプ７の駆動で浴槽水３を循環水として浴槽１と濾過装置２とに亘って循環させながら、殺菌剤添加装置８で循環水３に殺菌剤を添加するとともに、殺菌剤を添加したあとの循環水３を濾過装置２に通過させて、その循環水３に含まれる濁質分を除去できるように構成してある。
【００１１】
前記殺菌剤添加装置８は、次亜塩素酸塩水溶液を貯留している第１薬液タンク９と、変性亜塩素酸塩水溶液を貯留している第２薬液タンク１０とを設けると共に、第１薬液タンク９の第１薬液供給配管１１と第２薬液タンク１０の第２薬液供給配管１２とを流入配管４に接続し、第１薬液供給配管１１に設けた第１供給ポンプ１４と第２薬液供給配管１２に設けた第２供給ポンプ１５とを各別に駆動して、次亜塩素酸塩水溶液と変性亜塩素酸塩水溶液とを所定の比率で殺菌剤として流入配管４内の循環水３に各別に直接添加して、濾過装置２を含む水循環路６を洗浄できるように構成してある。
【００１２】
前記次亜塩素酸塩水溶液としては、次亜塩素酸ナトリウムや次亜塩素酸カルシウムなどの無機系次亜塩素酸塩の水溶液を使用することができ、また、変性亜塩素酸塩水溶液としては、例えば特公平６−１０２５２２号公報に記載されているものを使用することができ、本実施形態では、テトラクロロデカオキサイド（以下、ＴＣＤＯと略称する）  の水溶液を使用する。
【００１３】
また、次亜塩素酸塩水溶液に代えて、塩素化イソシアヌル酸の水溶液を第１薬液タンク９に貯留して、塩素化イソシアヌル酸水溶液と変性亜塩素酸塩水溶液とを所定の比率で殺菌剤として流入配管４内の循環水３に各別に直接添加して、水循環路６を洗浄できるように構成しても良い。
【００１４】
〔第２実施形態〕
図２は、本発明による水循環路洗浄方法に使用する浴槽水循環設備の別実施形態を示し、二基の濾過装置２（２ａ，２ｂ）  を、それらの下流側に設けた二つの流路切換バルブ１６ａ，１６ｂを介して水循環路６に並列に接続して、流路切換バルブ１６ａ，１６ｂの操作で、浴槽水３を循環水として浴槽１と第１濾過装置２ａとに亘って循環させながら、第２濾過装置２ｂに流入した浴槽水３を排水する第１循環状態と、浴槽水３を循環水として浴槽１と第２濾過装置２ｂとに亘って循環させながら、第１濾過装置２ａに流入した浴槽水３を排水する第２循環状態とに切換自在に構成してある。
【００１５】
また、殺菌剤添加装置８を、注入路切換バルブ１７ａ，１７ｂの操作で、次亜塩素酸塩水溶液と変性亜塩素酸塩水溶液とを第１濾過装置２ａの上流側の並列配管部分４ａの浴槽水３にのみ添加する第１添加状態と、次亜塩素酸塩水溶液と変性亜塩素酸塩水溶液とを第２濾過装置２ｂの上流側の並列配管部分４ｂの浴槽水３にのみ添加する第２添加状態とに切換自在に構成してある。
【００１６】
そして、第１濾過装置２ａを洗浄したいときには、流路切換バルブ１６ａ，１６ｂの操作で第２循環状態に切り換えるとともに、注入路切換バルブ１７ａ，１７ｂの操作で第１添加状態に切り換えて、浴槽水３を浴槽１と第２濾過装置２ｂとに亘って循環させながら、第１濾過装置２ａの上流側の並列配管部分４ａの浴槽水３にのみ、次亜塩素酸塩水溶液と変性亜塩素酸塩水溶液とを所定の比率で添加することにより第１濾過装置２ａを洗浄して、第１濾過装置２ａを通過した浴槽水３を排水し、第２濾過装置２ｂを洗浄したいときには、流路切換バルブ１６ａ，１６ｂの操作で第１循環状態に切り換えるとともに、注入路切換バルブ１７ａ，１７ｂの操作で第２添加状態に切り換えて、浴槽水３を浴槽１と第１濾過装置２ａとに亘って循環させながら、第２濾過装置２ｂの上流側の並列配管部分４ｂの浴槽水３にのみ、次亜塩素酸塩水溶液と変性亜塩素酸塩水溶液とを所定の比率で添加することにより第２濾過装置２ｂを洗浄して、第２濾過装置２ｂを通過した浴槽水３を排水することで、浴槽１内への殺菌剤の流入を防止しながら浴槽水３の循環を停止することなく、各濾過装置２ａ，２ｂを洗浄できるように構成してある。
その他の構成は第１実施形態と同様である。
【００１７】
〔その他の実施形態〕
１．本発明による水循環路洗浄方法は、濾過装置よりも下流側の水循環路内の循環水に殺菌剤を添加しても、水槽内の水（循環水）  に殺菌剤を添加しても良い。２．本発明による水循環路洗浄方法は、プール，人工池などの水槽と濾過装置とに亘る水循環路を洗浄するために使用しても良い。
３．本発明による水循環路洗浄方法は、殺菌剤を循環水に定期的に添加しても、少しずつ連続的に添加しても良い。
【００１８】
【実施例】
次亜塩素酸ナトリウム溶液（有効塩素濃度：１０％）  とＴＣＤＯとを殺菌剤として、循環系内に保有している水量（約５ｍ３）に対して、約１ｋｇの次亜塩素酸ナトリウム溶液（濃度：１，０００ｍｇ／リットル）  と、約１ｋｇのＴＣＤＯ溶液（濃度：１，０００ｍｇ／リットル）  とを、第１実施形態で示した殺菌剤添加装置８を使用せずに、浴槽１に直接投入した。
【００１９】
そして、次亜塩素酸ナトリウム溶液とＴＣＤＯとを投入した浴槽水３を、流入配管４と戻し配管５とを通して、約２時間、浴槽１と濾過装置２とに亘って循環させ、中和処理を行った後、その浴槽水３を排水して、新たに浴槽１に投入した水道水で流入配管４と戻し配管５とをフラッシングした後、ファイバースコープを用いて、流入配管４と戻し配管５の管壁面の生物膜が洗浄されていることを確認した。
【００２０】
［表１］に、生物膜洗浄前後の浴槽水中の一般細菌数と大腸菌群，  レジオネラ属菌の検査結果を示す。
【表１】
2004330163.tif 000004
【００２１】
［表１］から、生物膜を洗浄したことによって、浴槽水中の一般細菌や大腸菌群，  レジオネラ属菌を効果的に除菌できたことが分かる。
従って、強固に付着した生物膜を効果的に洗浄することができ、生物膜中及び浴槽などの循環水中の微生物を効果的に除菌することができる。
【００２２】
また、循環水中に常時、次亜塩素酸塩又は塩素化イソシアヌル酸のいずれか一種を遊離残留塩素濃度が０．２〜１．０ｍｇ／リットルになるように添加し、ＴＣＤＯを二酸化塩素濃度が０．１〜０．４ｍｇ／リットルになるように添加することで、生物膜の生成を抑制することができるという効果もある。
【図面の簡単な説明】
【図１】第１実施形態の水循環路洗浄方法を説明するための浴槽水循環設備の概略図
【図２】第２実施形態の水循環路洗浄方法を説明するための浴槽水循環設備の概略図
【符号の説明】
１  水槽
２  濾過装置
３  循環水
６  水循環路
【図１】
2004330163.tif 000005
【図２】
2004330163.tif 000006